(57)【特許請求の範囲】
【請求項１】
車両用エンジンに動力取出機構が接続可能に配置されている動力取出機構装備車両用のエンジンの制御装置であって、動力取出機構装備車両の動作制御のための種々の制御処理が実行される第１のエリアと、前記第１のエリアによる制御における故障の有無の診断を行う第２のエリアが設けられている動力取出機構装備車両用のエンジン制御装置において、前記第１のエリアはエンジン制御モードを選択し、当該選択されたエンジン制御モードに基づいてエンジンの制御を実行可能であり、前記第２のエリアは、前記第１のエリアとは別に、エンジン制御モードを判断し、前記第１のエリアにおいてエンジンの制御に供されているエンジン制御モードと前記第２のエリアにおいて判断されたエンジン制御モードとを比較することで前記故障診断が実行可能となっていることを特徴とする動力取出機構装備車両用のエンジン制御装置
【請求項２】
前記第２のエリアは、前記第１のエリアにおいてエンジンの制御に供されているエンジン制御モードと前記第２のエリアにおいて判断されたエンジン制御モードとを比較し、これらが異なる場合には、前記第１のエリアにおいてエンジンの制御に供されているエンジン制御モードを異常と判断し、さらに前記動力取出機構が非作動状態である場合に、車両を徐行走行に移行させることを特徴とする請求項１記載の動力取出機構装備車両用のエンジン制御装置
【請求項３】
前記第２のエリアは、前記第１のエリアにおいてエンジンの制御に供されているエンジン制御モードと第２のエリアにおいて判断されたエンジン制御モードとを比較した結果、これらが異なる場合には、前記第１のエリアにおいてエンジンの制御に供されているエンジン制御モードを異常と判断し、前記第２のエリアにおいて判断されたエンジン制御モードを第１のエリアにおいてエンジンの制御に供するよう変更することを特徴とする請求項１記載の動力取出機構装備車両用のエンジン制御装置
【発明の詳細な説明】
【技術分野】
【０００１】
本発明は、車両のエンジン制御に係り、特に動力取出機構を備えた作業車両におけるエンジンの制御に関する。
【背景技術】
【０００２】
従来、消防車等の特装車において、ポンプなどの架装装置に動力を供するために、車両のエンジンに動力取出機構を接続したものがある。例えば、動力取出機構は車両の走行時には非作動側に切り替えられて、エンジンの動力は車両の駆動系に供され、一方、車両を停車して架装装置で作業を行う場合には、動力取出機構は作動側に切り替えられて、エンジンの動力は架装装置に供されるようになっている。
【０００３】
ところで、車両走行時と架装装置の作業時とでは、必要とされる動力特性が異なるので、エンジンの制御パターンを切り替えることが望ましい。
【０００４】
例えば、特許文献１には、エンジン回転数と燃料供給量（噴射量）との関係が示された制御パターンを車両走行時と架装装置での作業時とで別に用意し、動力取出機構の作動・非作動の切り替えにあわせて、動力取出機構作動時用制御パターンによる燃料供給制御と、走行時用制御パターンによる燃料供給制御とを切り替える燃料供給量制御装置が提案されている。
【先行技術文献】
【特許文献】
【０００５】
【特許文献１】特開２０００−８０９３４号公報
【発明の概要】
【発明が解決しようとする課題】
【０００６】
しかしながら、従来の制御装置では、選択されたエンジンの制御モードが制御装置内部の異常により正しく記憶されず、また実行されないという可能性があった。例えば、制御装置内における半導体記憶素子（ＲＯＭやＲＡＭ）の故障により、車両走行時にも関わらず、動力取出機構作動時用の制御モードが記憶され、それを基にエンジンが制御されたり、また逆に動力取出機構が作動中にも関わらず車両走行用の制御モードが記憶され、それを基にエンジンが制御される可能性があった。このように不適切なエンジン制御モードで制御された場合には、燃費が悪化したり、エンジン騒音が大きくなったり、また走行時の運転性が極度に悪化する可能性があった。また、エンジン制御モードによって、その監視方法が異なるので、正確なエンジン制御の監視ができないという可能性もあった。
【０００７】
本発明は、上記可能性に鑑みてなされたもので、動力取出機構を装備した作業車両のエンジン制御装置において、特に、半導体記憶素子（ＲＯＭやＲＡＭ）の故障に起因するエンジンの制御モードの異常を診断可能とすると共に、異常時における適正な処置を供する動力取出機構装備車用エンジン制御装置を提供するものである。
【課題を解決するための手段】
【０００８】
上記本発明の目的を達成するために本発明は、車両用エンジンに動力取出機構が接続可能に配置されている動力取出機構装備車両用のエンジンの制御装置であって、動力取出機構装備車両の動作制御のための種々の制御処理が実行される第１のエリアと、前記第１のエリアによる制御における故障の有無の診断を行う第２のエリアが設けられている動力取出機構装備車両用のエンジン制御装置において、前記第１のエリアはエンジン制御モードを選択し、当該選択されたエンジン制御モードに基づいてエンジンの制御を実行可能であり、前記第２のエリアは、前記第１のエリアとは別に、エンジン制御モードを判断し、前記第１のエリアにおいてエンジンの制御に供されているエンジン制御モードと前記第２のエリアにおいて判断されたエンジン制御モードとを比較することで前記故障診断が実行可能となるように構成されたものである。
【０００９】
好ましくは、前記第２のエリアは、前記第１のエリアにおいてエンジンの制御に供されているエンジン制御モードと前記第２のエリアにおいて判断されたエンジン制御モードとを比較した結果、これらが異なる場合には、前記第１のエリアにおいてエンジンの制御に供されているエンジン制御モードを異常と判断し、さらに前記動力取出機構が非作動状態である場合に、車両を徐行制御に移行させるように構成されたものである。
【００１０】
好ましくは、前記第２のエリアは、前記第１のエリアにおいてエンジンの制御に供されているエンジン制御モードと前記第２のエリアにおいて判断されたエンジン制御モードとを比較した結果、これらが異なる場合には、前記第１のエリアにおいてエンジンの制御に供されているエンジン制御モードを異常と判断し、前記第２のエリアにおいて判断されたエンジン制御モードを第１のエリアにおいてエンジンの制御に供するよう変更するように構成されたものである。
【発明の効果】
【００１１】
本発明によって、動力取出機構を装備した作業車両において、特に、半導体記憶素子（ＲＯＭやＲＡＭ）の故障に起因するエンジンの制御モードの異常が診断可能になると共に、異常時における適正な処置を供することができるようになるという優れた効果が得られる。
【図面の簡単な説明】
【００１２】
【図１】本発明の実施の形態における動力取出機構装備車用エンジン制御装置の構成例を示す構成図である。
【図２】図１に示された動力取出機構装備車用エンジン制御装置における第２のエリアで実行されるエンジン制御モードの選択とその診断手順を示すフローチャートである。
【図３】エンジン制御装置において適宜選択されるエンジンの制御モードの一つであるリミットスピード制御モードにおけるエンジン回転数とトルクの特性図である。
【図４】エンジン制御装置において適宜選択されるエンジンの制御モードの一つであるオールスピード制御モードにおけるエンジン回転数とトルクの特性図である。
【発明を実施するための形態】
【００１３】
以下、本発明の実施の形態について、図面を参照しつつ説明する。本実施形態のエンジン制御装置は、消防車などの特装車両用エンジンを制御するものであり、例えば、ディーゼルエンジンを対象とする。なお、以下に説明する部材、配置等は本発明を限定するものではなく、本発明の趣旨の範囲内で種々改変することができるものである。
【００１４】
まず、図１に基づき本実施形態のエンジン制御装置を説明する。
【００１５】
図１に示すように、エンジン１は、燃料を供給するための燃料噴射装置２と、その燃料噴射装置２などを制御するエンジン制御装置（以下、ＥＣＵという）３とを備える。
【００１６】
燃料噴射装置２は、インジェクタ２１、コモンレール２２、高圧ポンプ２３等からなり、各気筒毎に設けられたインジェクタ２１はコモンレール２２に接続される。コモンレール２２には高圧ポンプ２３から送られた加圧燃料が貯留され、高圧ポンプ２３は、燃料タンク（図示せず）に接続される。
【００１７】
本実施形態のエンジン１には、動力を取出して架装装置（図示せず）に伝達するための動力取出機構１１が接続されている。  
【００１８】
本実施形態の動力取出機構１１は、変速機１２に設けられる。動力取出機構１１は、例えば、変速機１２の出力側と架装装置の入力側との間に設けられた動力取出機構切り替え装置（図示せず）を有している。その動力取出機構切り替え装置が接続されると、動力取出機構１１は作動状態となりエンジン動力は架装装置に伝達されるようになっている。一方、動力取出機構切り替え装置が切断された場合、動力取出機構１１は非作動状態となりエンジン動力は車両駆動系に供される。なお、動力取出機構１１は、これに限定されず、様々なものが考えられる。
【００１９】
作業者が操作し易い場所、例えば運転室内に動力取出機構スイッチ４１が取り付けられている。動力取出機構スイッチ４１はＯｎまたはＯｆｆのいずれか一方が選択されるようになっており、動力取出機構スイッチ４１がＯｎの場合には動力取出機構切り替え装置が接続され動力取出機構１１が作動状態となり、動力取出機構スイッチ４１がＯｆｆの場合には動力取出機構切り替え装置が切断され動力取出機構１１は非作動状態となる。動力取出機構スイッチ４１は、ＥＣＵ３に接続されており、直接的にはＥＣＵ３からの指示により、動力取出機構切り替え装置の接続・切断がなされる。
【００２０】
ＥＣＵ３は動力取出機構１１の作動・非作動状態やその他情報に基づき、エンジンの制御モード（リミットスピード制御モード、オールスピード制御モード、アイソクロナス制御モード）を切り替える機能を有している。例えば、リミットスピード制御モードは一般道を走行するとき、オールスピード制御モードやアイソクロナス制御モードは動力取出機構を作動状態にし、ポンプなどの架装装置で作業を行うときと言ったように選択される。図３および図４にリミットスピード制御モードとオールスピード制御モードにおけるエンジン回転数とトルクの特性図の例を示す。さらにＥＣＵ３は選択されたエンジンの制御モードを記憶する記憶手段を有している。例えば、選択されたエンジンの制御モードはＥＣＵ３内における半導体記憶素子であるＲＯＭやＲＡＭに記憶される。
【００２１】
ＥＣＵ３には、クーラント温度センサ１３、クランク角センサ１４、カム角センサ１５、燃料温度センサ２４およびコモンレール圧力センサ２５やアクセル開度センサ４２などの各種センサが接続され、それら各種センサ１３〜１５、２４、２５、４２からの検出信号が入力される。
【００２２】
ＥＣＵ３は、上記燃料噴射装置２に制御信号を出力すべく接続され、車両走行時（動力取出機構１１の非作動時）および架装装置の作業時（動力取出機構１１の作動時）に、上記エンジン１への燃料噴射量を制御する。
【００２３】
ＥＣＵ３は、動力取出機構１１の非作動時（車両走行時）において、基本的には、クランク角センサ１４で検出されるエンジン回転数やアクセル開度センサ４２で検出されるアクセル開度などからエンジン１の運転状態を読み取り、その運転状態に基づき、燃料噴射装置２から供給すべき燃料噴射量などを算出して、エンジン１を制御する。
【００２４】
一方、ＥＣＵ３は、動力取出機構１１の作動時には、エンジン回転数、アクセル開度センサ４２のアクセル開度または架装装置の操作レバー（図示せず）のアクセル開度などから信号を読み取り、その運転状態に基づき、燃料噴射装置２から供給すべき燃料噴射量などを算出して、エンジン１を制御する。
【００２５】
次に、ＥＣＵ３内の機能ブロックについて説明する。まず、本発明の実施の形態におけるＥＣＵ３においては、ソフトウェアが実行されるエリアが、概念的に形成される３つのエリア（第１のエリア３１、第２のエリア３２及び第３のエリア３３）に区分されたものとなっている。
【００２６】
第１のエリアでは、ＥＣＵ３における基本機能である燃料噴射量の制御が行われる。第１のエリアは前述したように、各種センサ信号（クランク角センサ等）に基づいてエンジン１の運転状態を読み取り、その運転状態に基づき、燃料噴射装置２から供給すべき燃料噴射量などを算出して、エンジン１を制御するものである。
【００２７】
また、動力取出機構スイッチ４１が、ＥＣＵ３に接続されており、動力取出機構１１の作動・非作動状態がＥＣＵ３により検出されるようになっている。第１のエリア３１は動力取出機構１１の作動・非作動状態やその他情報に基づき、エンジンの制御モード（リミットスピード制御モード、オールスピード制御モード、アイソクロナス制御モード）を切り替える機能を有している。例えば、リミットスピード制御モードは一般道を走行するとき、オールスピード制御モードやアイソクロナス制御モードは動力取出機構を作動状態にし、ポンプなどの架装装置で作業を行うときと言ったように選択される。さらに第１のエリア３１には選択されたエンジンの制御モードを記憶する記憶手段を有している。例えば、選択されたエンジンの制御モードは半導体記憶素子であるＲＯＭやＲＡＭに記憶される。これら選択し、記憶されたエンジンの制御モードに基づいて、エンジン１は制御される。
【００２８】
第２のエリア３２は、第１のエリア３１において選択使用されているエンジン制御モードの異常の有無を診断する診断処理が実行されるようになっている。具体的には、第１のエリア３１に入力される信号のうち、エンジン制御モードを選択するために必要な信号（動力取出機構スイッチ４１の信号等）から、制御モードを判断する判断手段と、第１のエリア３１においてエンジンの制御に供されているエンジン制御モードと、当該第２のエリア３２で判断されたエンジンの制御モードを比較する比較手段と、比較手段による判断結果により、第１のエリア３１における故障を診断する故障診断手段と、診断結果から故障処理を行う故障処理手段を有する。尚、これらの点については別途フローチャート図２を用いて詳細に説明する。
【００２９】
第３のエリア３３は第２のエリア３２におけるコンピュータの基本機能を監視するものとなっている。例えば、第２のエリア３２が使用するところの中央演算装置や、マイコンの周辺機器（ＡＤ変換機、タイミング生成機、など）を外部の監視ＩＣとの質問と回答のやり取りを通して診断している。したがって、当該第２のエリア３２が使用するところの中央演算装置等は、第１のエリア３１に比べ、その信頼性が格段に高いものとなっている。エンジン制御モードは、燃料噴射制御を行う上で、最も重要な情報であり、これを定期的に診断することにより、エンジンが不適切な制御モードで運転されることを防ぐことができる。ところで、第２のエリア３２によるエンジンの制御モードの選択は、上述のとおり第１のエリア３１におけるエンジンの制御モードの選択に比べ信頼性の高いものであるが、第２のエリア３２によるエンジンの制御モードの監視は適当な時間間隔で実施されるものであり、第１のエリア３１におけるエンジン１の制御に直接使用できるものではない。
【００３０】
図２には、第２のエリア３２で実行されるエンジン制御モードの選択とその診断手順がフローチャートで示されており、以下、同図を参照しつつ、その内容について説明する。 
【００３１】
第２のエリア３２において、本件発明に該当する処理が開始されると、最初に、エンジンの制御モードが判断される。第２のエリア３２におけるこのエンジン制御モードの判断は、第１のエリア３２におけるエンジン制御モードの判断と同じ信号、例えば動力取出機構スイッチ４１の信号等が入力され行われる（図２のステップＳ１参照）。
【００３２】
そして次に、第２のエリア３２によって判断されたエンジン制御モードと第１のエリア３１でエンジンの制御に供されているエンジン制御モードを比較し、これらが同じかどうかが判断される（図２のステップＳ２参照）。同じと判断された場合（ＹＥＳの場合）には第１のエリア３１で使われているエンジン制御モードは適切であり、サブルーチン処理を終了する。
【００３３】
ステップＳ２において異なると判断された場合（ＮＯの場合）にはステップＳ３に進む。第１のエリア３１においてエンジンの制御に供されているエンジン制御モードが不適切であり、その旨を当該車両の運転者や、搭載された架装装置の作業者に知らせるために、エラー表示を点灯させる。このことにより、運転者等はＥＣＵ３の不具合を察知し、たとえば当該車両を修理工場等へ移動させることができる。
【００３４】
次に、動力取出機構１１が作動状態（動力取出機構スイッチ４１がＯＮ）であるかどうかが判断される（図２のステップＳ４参照）。動力取出機構１１が作動状態である場合には、第２のエリア３２において判断されたエンジン制御モードを第１のエリア３１においてエンジンの制御に供するよう変更する（図２のステップＳ６参照）。動力取出機構１１が作動状態ということは、例えば消防車であれば消火作業中であり、不具合により、エンジンを停止したり、エンジン出力を大幅に下げての作動は消火作業に大きな支障をきたし、ふさわしくない。
【００３５】
動力取出機構１１が非作動状態である場合（動力取出機構スイッチ４１がＯｆｆ）には、エンジンをリンプホームモード（徐行走行）で制御するように第１のエリア３１の制御を切り替える（図２のステップＳ５参照）。動力取出機構１１が非作動状態ということは、走行モードであり、安全に、しかも退避可能にということを考えて、ここではリンプホームモードを選択している。
【００３６】
尚、ステップＳ２において異なると判断された場合（ＮＯの場合）には、即ステッ
プＳ３に進まず、ステップＳ１とステップＳ２を何度か繰り返し、その結果、第１のエリア３１で選択し記憶された制御モードが、第２のエリア３２で判断された制御モードと異なると最終的に判断された場合にステップＳ３へ進むこととしてもよい。
【産業上の利用可能性】
【００３７】
エンジンの制御装置の故障によるエンジンの制御モード異常を信頼性高く検出でき、動力取出機構装備車両のエンジン制御装置に適用できる。
【符号の説明】
【００３８】
１…エンジン２…燃料噴射装置３…エンジン制御装置１１…動力取出機構１２…変速機１３…クーラント温度センサ１４…クランク角センサ１５…カム角センサ２１…インジェクタ２２…コモンレール２３…高圧ポンプ２４…燃料温度センサ２５…コモンレール圧力センサ３１…第１のエリア３２…第２のエリア３３…第３のエリア４１…動力取出機構スイッチ４２…アクセル開度センサ 
【図１】
0005683041.tif 000002
【図２】
0005683041.tif 000003
【図３】
0005683041.tif 000004
【図４】
0005683041.tif 000005